(57)【要約】  【課題】オリジナルの文書における線種や色を変更することなく、色覚異常者であっても、グラフを構成する複数の要素を区別して認識することができるカラー画像データを生成する画像処理装置を提供する。  【解決手段】画像処理部１５は、カラー画像データ上のグラフ領域から２本以上のライン画像が交差する交差位置を取得する交差点抽出部１５７と、取得した前記交差位置において交差する複数本のライン画像の複数の表示色が、色覚異常者により同一色又は近似色と知覚される同色関係を有するか否かを判断し、前記同色関係を有すると判断される色により表示される複数本のライン画像のうち、少なくとも１本のライン画像に対して、当該交差位置の近傍に修飾を付加する付加情報処理部１５９を備える。【選択図】 図３
2009303142.tif 000002
【特許請求の範囲】
【請求項１】
カラー画像データに修飾を付加する画像処理装置であって、
カラー画像データがグラフ領域を含む場合、当該グラフ領域から２本以上のライン画像が交差する交差位置を取得する取得手段と、
取得した前記交差位置において交差する複数本のライン画像の表示色が、色覚異常者により同一色又は近似色と知覚される同色関係を有するか否かを判断する判断手段と、
前記同色関係を有すると判断される色により表示される複数本のライン画像のうち、少なくとも１本のライン画像に対して、当該交差位置の近傍に修飾を付加する付加手段と
を備えることを特徴とする画像処理装置。
【請求項２】
前記付加手段は、前記修飾として、前記交差位置の近傍に、矢印を表示する修飾画像を付加する
ことを特徴とする請求項１に記載の画像処理装置。
【請求項３】
前記付加手段は、１本の前記ライン画像の線幅を検出し、検出した線幅に応じて矢印の大きさを決定し、決定した大きさの前記矢印を表示する前記修飾画像を付加する
ことを特徴とする請求項２に記載の画像処理装置。
【請求項４】
前記付加手段は、１本の前記ライン画像の線幅を検出し、検出した前記線幅が所定の幅より広い場合に、前記修飾画像を前記ライン画像内に付加する
ことを特徴とする請求項２に記載の画像処理装置。
【請求項５】
前記付加手段は、前記修飾として、前記交差位置の近傍に、当該ライン画像と他の画像との境界を強調するガイドを表示する修飾画像を付加する
ことを特徴とする請求項１に記載の画像処理装置。
【請求項６】
前記同色関係は、第１の色と第２の色とが色覚異常者により同一色又は近似色と知覚される第１の関係にあること及び、第３の色と第４の色とが色覚異常者により同一色又は近似色と知覚される第２の関係にあることを示し、
前記判断手段は、前記交差位置において交差する複数本のライン画像の複数の表示色のうち少なくとも２色が、前記第１の関係にあるか否かを判断し、前記複数本のライン画像の複数の表示色のうち別の少なくとも２色が、前記第２の関係にあるか否かを判断し、
前記付加手段は、第１の関係及び第２の関係が存在する場合に、第１の関係に係る１本のライン画像に対して、当該交差位置の近傍に第１修飾画像を付加し、第２の関係に係る１本のライン画像に対して、当該交差位置の近傍に第１修飾画像とは異なる第２修飾画像を付加する
ことを特徴とする請求項１に記載の画像処理装置。
【請求項７】
前記付加手段は、第１の形状を有する矢印を表示する前記第１修飾画像を付加し、第１形状とは異なる第２形状を有する矢印を表示する第２修飾画像を付加する  
ことを特徴とする請求項６に記載の画像処理装置。
【請求項８】
前記付加手段は、第１の形状を有し、当該ライン画像と他の画像との境界を強調するガイドを表示する前記第１修飾画像を付加し、第１形状とは異なる第２形状を有し、当該ライン画像と他の画像との境界を強調するガイドを表示する第２修飾画像を付加する
ことを特徴とする請求項６に記載の画像処理装置。
【請求項９】
前記付加手段は、前記同色関係を有すると判断される色により表示される複数本のライン画像のうち、当該交差位置の近傍において２本のライン画像が近接するか否かを判断し、近接すると判断する場合に、近接する区間において、少なくとも１本のライン画像に修飾を付加する
ことを特徴とする請求項１に記載の画像処理装置。
【請求項１０】
前記付加手段は、前記２本のライン画像が交差する角度が、所定の角度以下である場合に、前記２本のライン画像が近接すると判断する
ことを特徴とする請求項９に記載の画像処理装置。
【請求項１１】
前記付加手段は、前記２本のライン画像上において、前記交差位置から所定の距離だけ離れた２点間の距離が、所定の距離以下である場合に、前記２本のライン画像が近接すると判断する
ことを特徴とする請求項９に記載の画像処理装置。
【請求項１２】
カラー画像データに修飾を付加する画像処理装置において用いられる画像処理方法であって、
カラー画像データがグラフ領域を含む場合、当該グラフ領域から２本以上のライン画像が交差する交差位置を取得する取得ステップと、
取得した前記交差位置において交差する複数本のライン画像の表示色が、色覚異常者により同一色又は近似色と知覚される同色関係を有するか否かを判断する判断ステップと、
前記同色関係を有すると判断される色により表示される複数本のライン画像のうち、少なくとも１本のライン画像に対して、当該交差位置の近傍に修飾を付加する付加ステップと
を含むことを特徴とする画像処理方法。
【請求項１３】
カラー画像データに修飾を付加するコンピュータにおいて用いられる画像処理のためのコンピュータプログラムを記録しているコンピュータ読み取り可能な記録媒体であって、
コンピュータに、
カラー画像データがグラフ領域を含む場合、当該グラフ領域から２本以上のライン画像が交差する交差位置を取得する取得ステップと、
取得した前記交差位置において交差する複数本のライン画像の表示色が、色覚異常者により同一色又は近似色と知覚される同色関係を有するか否かを判断する判断ステップと、
前記同色関係を有すると判断される色により表示される複数本のライン画像のうち、少なくとも１本のライン画像に対して、当該交差位置の近傍に修飾を付加する付加ステップとを実行させるためのコンピュータプログラムを記録している記録媒体。
【発明の詳細な説明】
【技術分野】
【０００１】
本発明は、カラー画像に対して画像処理を施す画像処理技術に関する。
【背景技術】
【０００２】
近年、カラー複写機、カラースキャナ、カラープリンタなどの普及により、利用者がカラーの文書を容易に作成できるようになってきている。
特許文献１には、白黒の文書をカラーにしたり、文書の配色を変更する際に、文書中に含まれる文書要素に施す修飾を、例えば、棒グラフの棒の長さや表のセルの数値に基づいて決定し、決定した修飾を施した文書を作成する技術が開示されている。
【０００３】
また、特許文献２には、道路地図を表示し、車両の進むべき経路の案内を行うナビーゲーション装置において、道路の縁取りを行うことにより、交差点形状を明瞭に表示する技術が開示されている。
さらに、特許文献３には、ナビーゲーション装置において、車両が進入する交差点の形状を表示するとともに、交差点における車両の進行率を表示する技術が開示されている。
【０００４】
このように従来技術によると、様々な表示上の工夫がなされることにより、利用者は視覚的に状況の認識が容易になるという利点がある。
【特許文献１】特開平８−２８７１７２号公報
【特許文献２】特開平１１−３０４５２５号公報
【特許文献３】特開２００４−２４５８３７号公報
【発明の開示】
【発明が解決しようとする課題】
【０００５】
しかしながら、上記のように工夫された表現であっても、CUD(Color Universal Design) が考慮されずに、作成された印刷物や表示物は、色覚異常者にとっては、色の識別がしにくく、このため色覚異常者に対する情報伝達がうまくなされないという問題点がある。ここで、CUDとは、人間の色の感じ方は一様ではなく、様々な原因により色の見え方が一般の人と異なる人が多く存在するので、こうした多様な色覚を持つ様々な人に配慮して、なるべく全ての人に情報が正確に伝わるように利用者側の視点に立って作られたデザインを指す。
【０００６】
例えば、折れ線グラフでは、折れ線同士が交わる交差点や屈折点で、それぞれの折れ線がどのように変化しているかを、折れ線の色により識別させることを前提としているので、２本の折れ線をそれぞれ表示する２色が、色覚異常者にとって、区別して認識しにくい色であると、折れ線の変化が読み取れず、誤解や混乱を生じることになる。
このような問題点を解決するために、色覚異常者が混同しやすい色に対して、折れ線の色や線種を変更したりハッチングを施せば、色覚異常者が識別できるようになる。
【０００７】
しかし、このためには、作成者は、作成時に充分にCUD を考慮して文書を作成する必要があり、手間がかかってしまう。また、オリジナルのグラフの折れ線の線種を破線に変更すると、元の情報が欠落してしまったり、また、オリジナルのグラフに元々破線が存在すると、区別ができなくなる。さらに、オリジナルのグラフの折れ線の色を変更すると、オリジナルのグラフが変更されるので、健常者と色覚異常者との間における情報の共有が困難になる場合がある。
【０００８】
このような問題点を解決するために、本発明は、オリジナルの文書における線種や色を変更することなく、色覚異常者であっても、グラフを構成する複数の要素を区別して認識することができる画像データを生成する画像処理装置、画像処理方法及び画像処理プログラムを記録している記録媒体を提供することを目的とする。
【課題を解決するための手段】
【０００９】
上記目的を達成するためには、本発明は、カラー画像データに修飾を付加する画像処理装置であって、カラー画像データがグラフ領域を含む場合、当該グラフ領域から２本以上のライン画像が交差する交差位置を取得する取得手段と、取得した前記交差位置において交差する複数本のライン画像の表示色が、色覚異常者により同一色又は近似色と知覚される同色関係を有するか否かを判断する判断手段と、前記同色関係を有すると判断される色により表示される複数本のライン画像のうち、少なくとも１本のライン画像に対して、当該交差位置の近傍に修飾を付加する付加手段とを備えることを特徴とする。
【発明の効果】
【００１０】
この構成によると、グラフ領域において、交差位置において交差する複数本のライン画像の複数の表示色が、色覚異常者により同一色又は近似色と知覚される同色関係を有するか否かを判断し、前記同色関係を有すると判断される色により表示される複数本のライン画像のうち、少なくとも１本のライン画像に対して、当該交差位置の近傍に修飾を付加するので、修飾を付加したライン画像と他のライン画像とを前記修飾により区別して認識することができるという優れた効果を奏する。
【００１１】
ここで、取得手段は、実施の形態における交差点抽出部１５７であり、判断手段は、付加情報処理部１５９であり、付加手段は、付加情報処理部１５９である。
ここで、前記付加手段は、前記修飾として、前記交差位置の近傍に、矢印を表示する修飾画像を付加するとしてもよい。
この構成によると、交差位置の近傍に、矢印を表示する修飾画像を付加するので、矢印により、当該ライン画像と他のライン画像とを区別して認識することができる。
【００１２】
ここで、前記付加手段は、１本の前記ライン画像の線幅を検出し、検出した線幅に応じて矢印の大きさを決定し、決定した大きさの前記矢印を表示する前記修飾画像を付加するとしてもよい。
この構成によると、ライン画像の線幅に応じて決定した大きさの矢印を表示するので、線幅が変化する場合であっても、当該ライン画像の認識が容易である。
【００１３】
ここで、前記付加手段は、１本の前記ライン画像の線幅を検出し、検出した前記線幅が所定の幅より広い場合に、前記修飾画像を前記ライン画像内に付加するとしてもよい。
この構成によると、ライン画像の線幅が所定の幅より広い場合に、前記修飾画像を前記ライン画像内に付加するので、オリジナルのグラフの表示の形態を大きく変えることなく、ライン画像の認識が容易となる。
【００１４】
ここで、前記付加手段は、前記修飾として、前記交差位置の近傍に、当該ライン画像と他の画像との境界を強調するガイドを表示する修飾画像を付加するとしてもよい。
この構成によると、前記交差位置の近傍に、当該ライン画像と他の画像との境界を強調するガイドを表示する修飾画像を付加するので、当該ライン画像を他の画像と明確に区別して認識することができるようになる。
【００１５】
ここで、前記同色関係は、第１の色と第２の色とが色覚異常者により同一色又は近似色と知覚される第１の関係にあること及び、第３の色と第４の色とが色覚異常者により同一色又は近似色と知覚される第２の関係にあることを示し、前記判断手段は、前記交差位置において交差する複数本のライン画像の複数の表示色のうち少なくとも２色が、前記第１の関係にあるか否かを判断し、前記複数本のライン画像の複数の表示色のうち別の少なくとも２色が、前記第２の関係にあるか否かを判断し、前記付加手段は、第１の関係及び第２の関係が存在する場合に、第１の関係に係る１本のライン画像に対して、当該交差位置の近傍に第１修飾画像を付加し、第２の関係に係る１本のライン画像に対して、当該交差位置の近傍に第１修飾画像とは異なる第２修飾画像を付加するとしてもよい。
【００１６】
この構成によると、前記交差位置において交差する複数本のライン画像の複数の表示色のうち少なくとも２色が、第１の関係にあり、別の少なくとも２色が、第２の関係にある場合に、第１の関係に係る１本のライン画像及び第２の関係に係る１本のライン画像に対して、それぞれ別々の修飾画像を付加するので、これらのライン画像の識別が容易となる。
【００１７】
ここで、前記付加手段は、前記同色関係を有すると判断される色により表示される複数本のライン画像のうち、当該交差位置の近傍において２本のライン画像が近接するか否かを判断し、近接すると判断する場合に、近接する区間において、少なくとも１本のライン画像に修飾を付加するとしてもよい。
この構成によると、２本のライン画像が近接する区間において、少なくとも１本のライン画像に修飾を付加するので、これらのライン画像の識別が容易となる。
【００１８】
ここで、前記付加手段は、前記２本のライン画像が交差する角度が、所定の角度以下である場合に、前記２本のライン画像が近接すると判断するとしてもよい。また、前記付加手段は、前記２本のライン画像上において、前記交差位置から所定の距離だけ離れた２点間の距離が、所定の距離以下である場合に、前記２本のライン画像が近接すると判断するとしてもよい。
【００１９】
これらの構成によると、２本のライン画像が交差する角度、又は２本のライン画像の距離を用いて、２本のライン画像の近接を判断するので、近接の判断を確実に行うことができる。
【発明を実施するための最良の形態】
【００２０】
本発明に係る１の実施の形態について説明する。
１．カラー複写機１００の構成
本発明に係る１の実施の形態としてのカラー複写機１００について説明する。
カラー複写機１００は、図１に示すように、複写機本体１０１と画像読取装置１０２とから構成される。複写機本体１０１の上部には、自動原稿給紙装置２０１と原稿画像走査露光装置２０２から成る画像読取装置１０２が設置されている。自動原稿給紙装置２０１の原稿台上に載置された原稿４００は、図示しない搬送部により搬送され、原稿画像走査露光装置２０２の光学系により原稿の片面又は両面の画像が走査露光され、原稿画像を反映する入射光がラインイメージセンサＣＣＤにより読み込まれる。
【００２１】
ラインイメージセンサＣＣＤにより光電変換されたアナログ画像信号は、画像処理部１５において、アナログ処理、Ａ／Ｄ変換、シェーディング補正及び画像圧縮処理等がなされ、デジタルのオリジナル画像データとなる。ここで、オリジナル画像データは、カラー画像データである。画像処理部１５は、後述するように、さらに、オリジナル画像データに対して、修飾画像を付加して、合成画像データを生成する。修飾画像の付加された合成画像データは画像形成部へ送られる。画像形成部は、色毎に像担持体を有する複数組の画像形成ユニット１０Ｙ、１０Ｍ、１０Ｃ、１０Ｋと、無端状の中間転写ベルト６と、再給紙機構（ＡＤＵ機構）を含む給紙搬送部と、トナー像を定着するための定着装置１７とを備えている。
【００２２】
この例で、画像形成ユニット１０Ｙは、感光体ドラム１Ｙ、帯電器２Ｙ、書込みユニット３Ｙ、現像ユニット４Ｙ及び像形成体用のクリーニング部８Ｙを有して、イエロー（Ｙ）色の画像を形成するようになされる。
感光体ドラム１Ｙは、像担持体の一例を構成し、例えば、中間転写ベルト６の右側上部に近接して回転自在に設けられ、Ｙ色のトナー像を形成するようになされる。この例で、感光体ドラム１Ｙは、図示しない駆動機構によって、反時計方向に回転される。感光体ドラム１Ｙの斜め右側下方には、帯電器２Ｙが設けられ、感光体ドラム１Ｙの表面を所定の電位に帯電するようになされる。帯電器２Ｙにはスコロトロン帯電極が使用され、数百［Ｖ］単位の直流電圧が印加される。
【００２３】
感光体ドラム１Ｙのほぼ真横に対峙して、各々のレーザ光源を有した書込みユニット３Ｙが設けられ、事前に帯電された感光体ドラム１Ｙに対して、Ｙ色用の画像データに基づく所定の強度を有したＹ色用のレーザビーム光を走査するようになされる。このレーザビーム光は、例えば、Ｙ色用のポリゴンミラーを回転して偏向走査される、いわゆるＹ色画像データの主走査方向への書込みである。主走査方向は、感光体ドラム１Ｙの回転軸に平行する方向である。感光体ドラム１Ｙは、副走査方向に回転する。副走査方向は、感光体ドラム１Ｙの回転軸に対して直交する方向である。この感光体ドラム１Ｙが副走査方向に回転し、かつ、レーザビーム光の主走査方向への偏向走査によって、感光体ドラム１ＹにはＹ色用の静電潜像が形成される。
【００２４】
書込みユニット３Ｙの上方には現像ユニット４Ｙが設けられ、感光体ドラム１Ｙに形成されたＹ色用の静電潜像を現像するように動作する。現像ユニット４Ｙは、図示しないＹ色用の現像ローラを有している。現像ユニット４Ｙには、Ｙ色用のトナー剤及びキャリアが収納されている。Ｙ色用の現像ローラは、内部に磁石が配置され、現像ユニット４Ｙ内でキャリアとＹ色トナー剤を攪拌して得られる２成分現像剤を感光体ドラム１Ｙの対向部位に回転搬送し、Ｙ色のトナー剤により静電潜像を現像するようになされる。この感光体ドラム１Ｙに形成されたＹ色のトナー像は、１次転写ローラ７Ｙを動作させて中間転写ベルト６に転写される（１次転写）。感光体ドラム１Ｙの左側下方には、クリーニング部８Ｙが設けられ、前回の書込みで感光体ドラム１Ｙに残留したトナー剤を除去（クリーニング）するようになされる。１次転写ローラ７Ｙには、使用するトナー剤と反対極性（本実施例においては正極性）の１次転写バイアス電圧が印加される。
【００２５】
画像形成ユニット１０Ｍ〜１０Ｋもまた画像形成ユニット１０Ｙと同様の構成を備えている。
中間転写ベルト６は像担持体の一例を構成し、１次転写ローラ７Ｙ，７Ｍ，７Ｃ及び７Ｋによって転写されたトナー像を重合してカラートナー像（カラー画像）を形成する。例えば、中間転写ベルト６上に形成されたカラー画像は、中間転写ベルト６が時計方向に回転することで、２次転写ローラ７Ａに向けて搬送される。２次転写ローラ７Ａは中間転写ベルト６の下方に位置しており、中間転写ベルト６に形成されたカラートナー像を給紙部２０から搬送されてきた用紙Ｐに一括して転写するようになされる（２次転写）。
【００２６】
給紙部２０は、例えば、上述の書込みユニット３Ｋの下方に設けられ、給紙トレイ２０Ａ，２０Ｂ，２０Ｃを有して構成される。給紙トレイ２０Ａ，２０Ｂ，２０Ｃ内に収容された用紙Ｐは、給紙トレイ２０Ａ，２０Ｂ，２０Ｃにそれぞれ設けられる送り出しローラ２１及び給紙ローラ２２Ａにより給紙され、搬送ローラ２２Ｂ，２２Ｃ，２２Ｄ、レジストローラ２３及び２８等を経て、２次転写ローラ７Ａに搬送される。
【００２７】
２次転写ローラ７Ａの左側には定着装置１７が設けられ、カラー画像を転写された用紙Ｐを定着処理するようになされる。定着装置１７は、定着ローラ、加圧ローラ及び加熱ヒータを有している。定着処理は、加熱ヒータによって加熱される定着ローラ及び加圧ローラの間に用紙Ｐを通過させることで、当該用紙Ｐが加熱・加圧される。定着後の用紙Ｐは、排紙ローラ２４に挟持されて機外の排紙トレイ２５上に載置される。
２．原稿の一例
カラー複写機１００による複写の対象となる原稿の一例として、図２に原稿４００を示す。原稿４００は、Ａ４サイズであり、その紙面上に、５個のグラフ４０１、４０２、４０３、４０４及び４０５が描画されている。各グラフは、グラフ領域及び凡例領域を含む。グラフ領域には、折れ線グラフが表示され、凡例領域には、凡例線及びその注釈が表示されている。凡例線は、グラフ領域に描画された折れ線と凡例領域に表示されている注釈とを関係付ける。
【００２８】
例えば、グラフ４０１のグラフ領域４０１ａには、それぞれ、赤色、ピンク、緑色及び青色で表示された４本の折れ線４０１ａａ、４０１ａｂ、４０１ａｃ及び４０１ａｄが描画されている。また、グラフ４０１の凡例領域４０１ｂには、それぞれ赤色、ピンク、緑色及び青色で表示された４本の凡例線４０１ｂａ、４０１ｂｂ、４０１ｂｃ及び４０１ｂｄが描画され、４本の凡例線４０１ｂａ、４０１ｂｂ、４０１ｂｃ及び４０１ｂｄに対応付けて、４個の注釈４０１ｂｅ、４０１ｂｆ、４０１ｂｇ及び４０１ｂｈが描画されている。折れ線４０１ａａ、４０１ａｂ、４０１ａｃ及び４０１ａｄの表示色は、それぞれ、４本の凡例線４０１ｂａ、４０１ｂｂ、４０１ｂｃ及び４０１ｂｄの表示色と同一である。つまり、４個の注釈４０１ｂｅ、４０１ｂｆ、４０１ｂｇ及び４０１ｂｈは、それぞれ、４本の折れ線４０１ａａ、４０１ａｂ、４０１ａｃ及び４０１ａｄに関するものであることを示している。また、グラフ領域４０１ａにおいては、背景色が灰色で表示されている。
【００２９】
ここでは、グラフに描画される折れ線の表示色として用いられる色は、赤色、ピンク、緑色、青色、水色、紫、黄緑、黄色、白色、黒色など特定の色に限定されているものとする。
原稿４００がカラー複写機１００により読み込まれると、上記のオリジナル画像データが生成される。
【００３０】
オリジナル画像データ上の各画素の配置位置を示す座標系を図２に示している。図２に示すように、原稿４００の左下点を原点とし、原稿４００の紙面上の右方向にＸ座標軸４１１をとり、原稿４００の紙面上の上方向にＹ座標軸４１２をとる。以降、本明細書において、座標を表す場合には、ここに示す座標系に基づいている。
なお、特許出願の図面においてはカラー表示ができないので、図２のグラフ領域４０１に描画されている折れ線４０１ａａ、４０１ａｂ、４０１ａｃ及び４０１ａｄについては、異なるハッチングを施すことにより、カラーを区別して表現している。図２の他のグラフ領域についても同様であり、また他の図面においても同様である。
３．画像処理部１５の構成
画像処理部１５は、図３に示すように、画像入力部１５１、画像記憶部１５２、画像処理制御部１５３、グラフ領域抽出部１５４、凡例抽出部１５５、色連続線抽出部１５６、交差点抽出部１５７、線幅抽出部１５８、付加情報処理部１５９、画像合成部１６０、画像出力部１６１及び情報記憶部１６２から構成される。
【００３１】
画像処理部１５は、具体的には、マイクロプロセッサ、ＲＯＭ、ＲＡＭなどから構成されるコンピュータシステムである。前記ＲＡＭには、コンピュータプログラムが記憶されている。前記マイクロプロセッサが、前記コンピュータプログラムに従って動作することにより、画像処理部１５の各処理部は、その機能を達成する。
（１）画像記憶部１５２及び情報記憶部１６２
画像記憶部１５２及び情報記憶部１６２は、それぞれ、ＲＡＭから構成されている。
【００３２】
画像記憶部１５２は、後述するオリジナル画像データ３０１及び後述する合成画像データ３０２を記憶するための領域を備えている。
また、情報記憶部１６２は、グラフ領域情報テーブル３１１、凡例領域情報テーブル３１２、ライン画像情報テーブル３１３、交差点情報テーブル３１４、凡例情報テーブル３１５及び同色関係テーブル３１６を記憶するための領域を備えている。
【００３３】
（グラフ領域情報テーブル３１１）
グラフ領域情報テーブル３１１は、図４に示すように、複数個のグラフ領域情報から構成される。グラフ領域情報テーブル３１１に含まれるグラフ領域情報の数は、原稿４００に描かれているグラフ領域の数に一致しており、グラフ領域情報テーブル３１１の複数個のグラフ領域情報は、それぞれ、原稿４００に描かれている複数のグラフ領域に相当する。
【００３４】
各グラフ領域情報は、図４に示すように、グラフ識別番号及びグラフ領域位置情報を含む。グラフ識別番号は、当該グラフ領域情報に対応するグラフ領域を一意に識別する番号である。グラフ領域位置情報は、当該グラフ領域情報に対応するグラフ領域の位置を示し、左下位置及び右上位置を含む。左下位置及び右上位置は、上記の座標系における当該グラフ領域の左下点の位置及び右上点の位置を示す。左下位置及び右上位置は、それぞれ、Ｘ座標及びＹ座標を含む。
【００３５】
（凡例領域情報テーブル３１２）
凡例領域情報テーブル３１２は、図５に示すように、複数個の凡例領域情報から構成される。凡例領域情報テーブル３１２に含まれる凡例領域情報の数は、原稿４００に描かれているグラフ領域の数に一致しており、凡例領域情報テーブル３１２の複数個の凡例領域情報は、それぞれ、原稿４００に描かれている複数のグラフ領域に相当する。つまり、各グラフ領域には、１個の凡例領域が対応して描かれているものとしている。なお、これには限定されない。各グラフに２個以上の凡例が描かれているとしてもよいし、また、各グラフに凡例が描かれていないとしてもよい。
【００３６】
各凡例領域情報は、図５に示すように、凡例識別番号及び凡例領域位置情報を含む。凡例識別番号は、当該凡例領域情報に対応する凡例領域を一意に識別する番号であり、対応するグラフ領域を識別するグラフ識別番号と一致している。凡例領域位置情報は、当該凡例領域情報に対応する凡例領域の位置を示し、左下位置及び右上位置を含む。左下位置及び右上位置は、上記の座標系における当該凡例領域の左下点の位置及び右上点の位置を示す。左下位置及び右上位置は、それぞれ、Ｘ座標及びＹ座標を含む。
【００３７】
（ライン画像情報テーブル３１３）
ライン画像情報テーブル３１３は、図６に示すように、複数のライン画像情報を含む。複数のライン画像情報は、原稿４００に描かれている各折れ線グラフに表示されている折れ線、つまりライン画像に対応している。ここで、グラフ上の折れ線であって、画像データ上に描かれた画像をライン画像と呼ぶことにする。
【００３８】
各ライン画像情報は、グラフ識別番号、ライン識別番号、表示色、線幅、開始位置情報及び終了位置情報から構成される。
ここで、グラフ識別番号については、上述したように、グラフ領域を一意に識別するための番号であり、当該ライン画像情報に対応するライン画像が描かれたグラフ領域を識別する。ライン識別番号は、当該ライン画像情報に対応するライン画像を一意に識別するための番号である。表示色は、当該ライン画像情報に対応するライン画像を表示する色である。線幅は、当該ライン画像情報に対応するライン画像の幅を示している。開始位置情報及び終了位置情報は、それぞれ、当該ライン画像情報に対応するライン画像の開始点及び終了点の位置を示している。開始位置情報及び終了位置情報は、それぞれ、Ｘ座標及びＹ座標を含む。
【００３９】
（交差点情報テーブル３１４）
交差点情報テーブル３１４は、図７に示すように、複数の交差点情報を含む。複数の交差点情報は、原稿４００に描かれている各折れ線グラフに表示されている折れ線と他の折れ線との交差点に対応している。ここで、折れ線と折れ線が交差することには、折れ線と折れ線が接する場合も含むものとする。
【００４０】
各交差点情報は、グラフ識別子、交差点識別子、交差点位置情報、２個以上のライン識別子、２個以上の方向指示情報、２個以上の表示色及び２個以上の線幅を含む。各交差点情報に含まれるライン識別子の数、方向指示情報の数、表示色の数及び線幅の数は、同じであり、２個以上のライン識別子のそれぞれは、２個以上の方向指示情報、２個以上の表示色及び２個以上の線幅のそれぞれに対応している。
【００４１】
ここで、グラフ識別子は、上述したように、グラフ領域を一意に識別するための番号であり、当該交差点情報に対応する交差点が描かれたグラフ領域を識別する。交差点識別子は、当該交差点情報に対応する交差点を一意に識別するための番号である。交差点位置情報は、当該交差点情報に対応する交差点の位置を示し、Ｘ座標及びＹ座標から構成されている。２個以上のライン識別子のそれぞれは、当該交差点情報に対応する交差点において交差するライン画像を識別する番号である。各方向指示点情報は、対応するライン画像上の１点の位置であり、対応するライン画像が、交差点からどの方向に伸びているかを示している。各方向指示点情報は、Ｘ座標及びＹ座標から構成されている。
【００４２】
各表示色は、交差点における対応するライン画像の色であり、各線幅は、交差点における対応するライン画像の線幅である。
（凡例情報テーブル３１５）
凡例情報テーブル３１５は、図８に示すように、複数の凡例情報から構成される。凡例情報テーブル３１５に含まれる凡例情報の数は、原稿４００に描かれているグラフ領域の数に一致しており、凡例情報テーブル３１５の複数個の凡例情報は、それぞれ、原稿４００に描かれている複数のグラフ領域に相当する。上述したように、各グラフ領域には、１個の凡例領域が対応して描かれているものとしている。なお、これには限定されない。
【００４３】
凡例情報は、凡例識別番号及び複数の凡例ライン情報から構成されている。
凡例識別情報は、当該凡例情報に対応する凡例領域を一意に識別する番号である。複数の凡例ライン情報は、それぞれ、各凡例領域に描かれている複数の凡例ライン画像に対応している。各凡例ライン情報は、凡例ライン識別番号、開始位置情報、終了位置情報及び表示色を含む。なお、凡例領域内の凡例線であって、画像データ上に描かれた画像を凡例ライン画像と呼ぶことにする。
【００４４】
凡例ライン識別番号は、各凡例領域に描かれている凡例ライン画像を一意に識別する番号であり、開始位置情報及び終了位置情報は、各凡例ライン画像の開始位置及び終了位置を示す。開始位置情報及び終了位置情報は、それぞれ、Ｘ座標及びＹ座標から構成されている。表示色は、各凡例ライン画像を表示する色を示す。
（同色関係テーブル３１６）
同色関係テーブル３１６は、図９に示すように、複数の同色関係組から構成され、各同色関係組は、１の色の色名と他の色の色名を含む。
【００４５】
各同色関係組は、色覚異常者により区別して認識することが難しいとされる２色の組合せを示している。例えば、色覚異常者は、青とピンクを区別して認識することが難しいとされている。その他、色覚異常者は、灰色と水色、ピンクと灰色、黄緑と黄土色、薄緑と肌色、赤と緑を区別して認識することが難しいとされている。
（２）画像入力部１５１
画像入力部１５１は、ラインイメージセンサＣＣＤから、光電変換されたアナログ画像信号を受け取り、受け取ったアナログ画像信号にアナログ処理、Ａ／Ｄ変換などを施してデジタルのオリジナル画像データを生成し、生成したオリジナル画像データを、オリジナル画像データ３０１として、画像記憶部１５２へ書き込む。
【００４６】
オリジナル画像データ３０１は、ＲＧＢカラーモデルにより表現される。オリジナル画像データ３０１は、一例として、３００ｄｐｉの場合には、縦に２４６０個、横に３４８０個、合計で８５６０８００個の行列状に構成された画素から構成され、各画素は、赤（Ｒ：Red）、緑（Ｇ：Green）、青（Ｂ：Blue）により表現される。Ｒ、Ｇ、Ｂは、それぞれ、２５６階調であるとする。
（３）グラフ領域抽出部１５４
グラフ領域抽出部１５４は、画像記憶部１５２に記憶されているオリジナル画像データ３０１を２値化する。具体的には、オリジナル画像データ３０１の各画素のＲ、Ｇ、Ｂの値について、閾値を１８０として、例えば、Ｒの値が１８０以下であれば、「０」とし、１８１以上であれば、「１」とする。Ｇ、Ｂの値についても同様にする。これにより、オリジナル画像データ３０１のうち、濃度の濃い画素については、「０」となり、濃度のうすい画素については、「１」となる。このようにして、グラフ領域抽出部１５４は、２値化画像を生成する。
【００４７】
次に、グラフ領域抽出部１５４は、２値化画像の中から、（ａ）濃度が濃い部分、つまり、値が「０」である部分であって、（ｂ）一定以上の大きさのかたまりからなる部分画像を抽出する。ここで、一定以上の大きさとは、例えば、３００ｄｐｉの場合には、縦に４００個、横に３００個、合計で１２００００個の行列状に構成された画素からなる矩形画像より大きいことをいう。
【００４８】
このようにして抽出した矩形の部分画像をグラフ領域とし、このグラフ領域にグラフ識別番号を一意に割り当てる。次に、抽出した矩形の部分画像の左下点のＸ座標及びＹ座標、及び右上点のＸ座標及びＹ座標を算出する。ここで、算出した左下点のＸ座標及びＹ座標、及び右上点のＸ座標及びＹ座標をグラフ領域位置情報と呼ぶ。次に、グラフ識別番号及びグラフ領域位置情報を、グラフ領域情報として、グラフ領域情報テーブル３１１に書き込む。
【００４９】
グラフ領域抽出部１５４は、２値化画像の中から、その他のグラフ領域が存在すれば、上記と同様にして、そのグラフ領域を抽出して、グラフ領域情報を取得し、取得したグラフ領域情報をグラフ領域情報テーブル３１１に書き込む。
こうして、図４に一例として示すグラフ領域情報テーブル３１１が生成される。
（４）凡例抽出部１５５
凡例抽出部１５５は、情報記憶部１６２に記憶されているグラフ領域情報テーブル３１１から、各グラフ領域情報を読み出し、読み出したグラフ領域情報からグラフ領域位置情報を抽出する。
【００５０】
次に、凡例抽出部１５５は、画像記憶部１５２に記憶されているオリジナル画像データ３０１の上で、抽出した各グラフ領域位置情報によりグラフ領域を特定し、特定したグラフ領域の境界上の画素を起点として近傍の周辺、具体的には、上方向、下方向、左方向、右方向の所定の検索範囲内に、文字が描画された文字領域が存在するか否かを判断する。
ここで、所定の検索範囲とは、例えば、３００ｄｐｉの場合には、縦１０００画素、横２００画素、合計で２０００００画素からなる行列状の矩形領域である。
【００５１】
文字領域が存在すると判定する場合に、凡例抽出部１５５は、前記検索範囲内において、文字領域を含む領域を決定し、凡例領域とし、当該凡例領域に前記特定したグラフ領域に割り当てられたグラフ識別番号と同一の凡例識別番号を割り当てる。次に、凡例領域の左下点のＸ座標、Ｙ座標及び右上点のＸ座標、Ｙ座標を算出し、算出した凡例領域の左下点のＸ座標、Ｙ座標及び右上点のＸ座標、Ｙ座標を凡例領域位置情報とする。
【００５２】
次に、凡例抽出部１５５は、凡例識別番号及び凡例領域位置情報を凡例領域情報として、凡例領域情報テーブル３１２へ書き込む。
次に、凡例抽出部１５５は、上記のようにして特定した凡例領域に描画されている１個の凡例ライン画像の開始位置のＸ座標、Ｙ座標、終了位置のＸ座標、Ｙ座標を読み取る。ここで、凡例ライン画像の開始位置のＸ座標及びＹ座標を開始位置情報と呼び、凡例ライン画像の終了位置のＸ座標及びＹ座標を終了位置情報と呼ぶ。次に、当該凡例ライン画像の表示色を読み取り、凡例ライン画像に一意の識別番号である凡例ライン識別番号を割り当てる。ここで、凡例ライン識別番号、開始位置情報及び終了位置情報を凡例ライン情報と呼ぶ。凡例抽出部１５５は、凡例識別番号及び凡例ライン情報を、凡例情報として、凡例情報テーブル３１５へ書き込む。
【００５３】
凡例抽出部１５５は、特定した凡例領域に描画されている他の凡例ライン画像についても、同様にして、凡例情報を求め、凡例情報を凡例情報テーブル３１５へ書き込む。
凡例抽出部１５５は、情報記憶部１６２のグラフ領域情報テーブル３１１に含まれる全てのグラフ領域情報により示されるグラフ領域について、凡例領域を検索して、凡例領域が存在すれば、上記のようにして、凡例領域情報を凡例領域情報テーブル３１２へ書き込み、また、凡例情報を凡例情報テーブル３１５へ書き込む。
（５）色連続線抽出部１５６
色連続線抽出部１５６は、次に示すようにして、オリジナル画像データ３０１の各グラフ領域から、色及び線の連続性により、グラフ領域に描画された複数の折れ線の画像（ライン画像と呼ぶ）を分離し、各ライン画像の開始点と終了点とを取得する。
【００５４】
色連続線抽出部１５６は、以下に示すようにして、グラフ領域に描画されている各ライン画像の開始点及び終了点を求める。
グラフ領域に描画される折れ線の表示色として用いられる色は、上述したように、一例として、赤色、ピンク、緑色、青色、水色、紫、黄緑、黄色、白色、黒色など特定の色に限定されているので、色連続線抽出部１５６は、これらのうちの１色である赤色によりグラフ領域に表示されているライン画像の開始点及び終了点を求め、これらの開始点及び終了点を記憶する。次に、ピンクによりグラフ領域に表示されているライン画像の開始点及び終了点を求め、これらの開始点及び終了点を記憶する。その他の色についても、当該色により表示されているライン画像の開始点及び終了点を求め、これらの開始点及び終了点を記憶する。
【００５５】
図２に示すグラフ領域４０１ａでは、赤色、ピンク、緑色及び青色により表示される折れ線が描画されているので、上記のようにして、これらの色により表示されたライン画像の開始点及び終了点が検出される。しかし、図２のグラフ領域４０１ａでは、水色、紫、黄緑、黄色、白色、黒色により表示される折れ線は、描画されていないので、これらの色により表示されたライン画像の開始点及び終了点が検出されることはなく、これらの色により表示されたライン画像は存在しないこととなる。
【００５６】
次に、各色について、どのようにしてライン画像の開始点及び終了点を求めるかについて説明する。
ここでは、一例として、図１１に示すグラフ領域５５４内に、赤色で描画されているライン画像５５３を用いて、開始点及び終了点の取得方法について、説明する。
色連続線抽出部１５６は、図１１に示すように、グラフ領域５５４の最左端のＹ軸方向に一列に並ぶ複数画素について、赤色の画素が存在するか否かを判断する（サーチ５６１）。ここでは、赤色の画素は発見されない。
【００５７】
次に、色連続線抽出部１５６は、グラフ領域５５４の最左端から第２列めの一列の複数画素について、赤色の画素が存在するか否かを判断する（サーチ５６２）。ここでも、赤色の画素は発見されない。
次に、色連続線抽出部１５６は、グラフ領域５５４の最左端から第３列めの一列の複数画素について、赤色の画素が存在するか否かを判断する（サーチ５６３）。ここでは、赤色の画素５５１が発見される。サーチを始めて最初に赤色の画素５５１が発見されたので、赤色の画素５５１の存在する位置を開始点として記憶する。
【００５８】
次に、色連続線抽出部１５６は、グラフ領域５５４の最左端から第４列めの一列の複数画素について、赤色の画素が存在するか否かを判断する（サーチ５６４）。ここでは、赤色の画素が発見される。さらに、サーチを繰り返し継続し（サーチ５６５）、ここでも、赤色の画素５５２が発見される。
次のサーチ（５６６）では、赤色の画素は発見されない。従って、最後に発見された赤色の画素５５２を、当該ライン画像の終了点とし、この終了点を記憶する。
【００５９】
色連続線抽出部１５６は、上記のようにして、各ライン画像の開始点及び終了点を取得すると、当該ライン画像を一意に識別するライン識別番号を割り当て、当該グラフ領域を識別するグラフ識別番号、前記ライン識別番号、表示色、開始点を示す開始位置情報及び終了点を示す終了位置情報を、ライン画像情報として、ライン画像情報テーブル３１３へ書き込む。ここで、開始位置情報及び終了位置情報は、それぞれ、Ｘ座標及びＹ座標から構成される。
（６）交差点抽出部１５７
交差点抽出部１５７は、次に示すようにして、グラフ領域に描画された複数のライン画像が交差する交差点の位置情報を算出する。
【００６０】
［処理０］交差点抽出部１５７は、ライン画像情報テーブル３１３からライン画像情報を順に読み出し、読み出したライン画像情報から表示色、開始位置情報及び終了位置情報を抽出する。読み出したライン画像情報により示されるライン画像を便宜上、対象ライン画像と呼ぶ。ここで、開始位置情報により示される点を対象点と呼ぶ。
図１０において、開始位置情報により示される点を参照符号５１１により示し、終了位置情報により示される点を参照符号５１３により示し、対象ライン画像を、参照符号５２１により示している。
【００６１】
［処理１］次に、交差点抽出部１５７は、対象点における画素に連接する参照画像を設定する。ここで、参照画像は、一例として、縦に２画素、横に２画素が行列状に配された合計４画素からなる画像である。このように設定した参照画像内に、前記対象ライン画像の抽出した前記表示色以外のライン画像の表示色が存在するか否かを判断する。つまり、他の表示色のライン画像が存在するか否かを判断するので、前記対象ライン画像と他のライン画像とが交差しているか否かを判断しているのである。
【００６２】
図１０においては、部分画像５１２の拡大画像５０３を示し、拡大画像５０３において、当該交差点を参照符号５３２により示している。
［処理２］交差点抽出部１５７は、前記参照画像内に、抽出した前記表示色以外のライン画像の表示色が存在すると判断する場合には、当該位置情報を交差点とし、当該交差点に対して当該交差点を一意に識別する交差点識別子を割り当て、当該グラフ領域を識別するグラフ識別子、交差点識別子、当該交差点を示す交差点位置情報及び当該対象ライン画像を識別するライン識別子を、交差点情報として、交差点情報テーブル３１４へ書き込む。
【００６３】
［処理３］次に、交差点抽出部１５７は、当該交差点からＸ軸方向に一定の画素数、例えば、１０画素だけ移動して得られる当該対象ライン画像の位置情報を求め、求めた位置情報を方向指示点情報として、前記交差点情報内に書き込む。前記方向指示点情報は、Ｘ座標及びＹ座標から構成される。
図１０においては、方向指示点を参照符号５３１により示している。
【００６４】
次に、交差点抽出部１５７は、前記対象点を１画素分だけ、Ｘ軸方向に移動して、対象ライン画像上の点を求め、求めた点を新たな対象点として、上記の処理１〜３を行う。
交差点抽出部１５７は、上記処理１〜３を、対象点が終了位置情報により示される位置に至るまで、繰り返す。
交差点抽出部１５７は、上記処理０〜３を、ライン画像情報テーブル３１３に含まれる全てのライン画像情報について繰り返す。
（７）線幅抽出部１５８
線幅抽出部１５８は、交差点情報テーブル３１４から交差点情報を順に読み出し、読み出した交差点情報から交差点位置情報を抽出し、抽出した交差点位置情報により示される位置から、隣接する参照画像の色情報を判断して、交差点において交差するライン画像の表示色を特定する。
【００６５】
また、線幅抽出部１５８は、交差点において交差するライン画像の線幅を検出する。
次に、線幅抽出部１５８は、読み出した交差点情報に、決定した表示色及び線幅を、当該ライン画像のライン識別子と対応付けて、書き込む。
このようにして、交差点毎に、当該交差点において交差する複数のライン画像について、当該ライン画像の表示色と線幅が、交差点情報テーブル３１４に書き込まれる。
（８）付加情報処理部１５９
付加情報処理部１５９は、交差点情報テーブル３１４から交差点情報を順に読み出し、読み出した交差点情報から２個以上のライン画像のそれぞれの表示色を抽出する。
【００６６】
次に、抽出した２種以上の表示色から、２種の表示色のあらゆる組合せを生成し、生成した組合せと同一の組合せが、図９に示す同色関係テーブル３１６の中の同色関係組として存在するか否かを判断する。
ここで、第１の色と第２の色とが一致することには、第１の色と第２の色とが完全に同一であること、及び第１色と第２の色とが近似していることを含むものとする。
【００６７】
例えば、色を２５６階調のＲＧＢカラーシステムで表現する場合に、第１の色が赤（Ｒ：２５６、Ｇ：０、Ｂ：０）であり、第２の色が赤に近似する色（Ｒ：２５４、Ｇ：１、Ｂ：１）である場合に、第１の色と第２の色とは、同一であるとする。つまり、第１の色のＲ成分と第２の色のＲ成分の差が、所定値以内、例えば、「２０」以内であれば、第１の色と第２の色とは、同一であるとする。
【００６８】
（ａ）付加情報処理部１５９は、生成した２種の表示色のあらゆる組合せのうちの１個の組合せについて、１個の同色関係組が存在し、当該組合せが２個のライン画像に係るものである場合に、前記交差点情報から交差点位置情報を抽出し、当該組合せを構成する２種の色に対応する２個のライン識別子及び線幅を前記交差点情報から抽出し、抽出したライン識別子の一方を特定し、特定したライン識別子に対応する線幅により、矢印の大きさ及び配置位置を定める。なお、特定しなかったライン識別子に係るライン画像については、後述する修飾画像を付加しない。
【００６９】
付加情報処理部１５９は、一例として図１３に示すように、ライン画像６３４について、交差点６０４の近傍に、矢印を表す修飾画像６４２及び６４１を付加し、交差点６０５の近傍に、矢印を表す修飾画像６４３及び６４４を付加する。なお、修飾画像は、黒色で表示される。他の修飾画像についても同様である。
この図に示すように、同一のライン画像については、同一の形状の矢印を表す修飾画像が付加される。
【００７０】
矢印の大きさ及び配置位置は、以下に示すように、線幅に応じて決定する。
付加情報処理部１５９は、図２４に示すように、例えば、線幅が、１〜５ドット以内である場合には、ライン画像の外側に、ライン画像に沿って矢印の矢柄がライン画像と平行になるように、交差点の前後２箇所に２個の矢印を表す２個の修飾画像を配置する。このとき、ライン画像と矢印の矢柄との距離は、ライン画像の線幅と同じ幅とする。また、矢印の矢尻及び矢柄の線幅は、ライン画像の線幅と同じ幅とする。
【００７１】
また、付加情報処理部１５９は、図２５に示すように、例えば、線幅が、６〜１０ドット以内である場合には、ライン画像の内側に、ライン画像に沿って矢印の矢柄がライン画像と平行になるように、交差点の前後２箇所に２個の矢印を示す２個の修飾画像を配置する。このとき、矢印の矢柄の線幅は、ライン画像の線幅より、２〜３ドット小さいものとする。
【００７２】
さらに、付加情報処理部１５９は、図２６に示すように、例えば、線幅が、１１以上である場合には、ライン画像の内側に、ライン画像に沿って矢印の矢柄がライン画像と平行になるように、交差点の前後２箇所に２個の矢印を示す２個の修飾画像を配置する。このとき、矢印の矢柄の線幅は、ライン画像の線幅より、２〜３ドット小さいものとする。
（ｂ）ライン画像に付加する修飾画像の種類として、上記においては、矢印を一例として示しており、矢印は、矢尻と矢柄とから構成されるとしているが、これには限定されない。
【００７３】
例えば、矢印は、矢尻のみからなるとしてもよい。図１３には、矢尻のみからなる矢印を表示する修飾画像６４１、６４２、６４３、６４４、・・・をライン画像に付加した例を示す。
また、矢印の矢柄の形状は、図１５に示す矢印を表示する修飾画像６９５のように、ライン画像の交差点において屈折するものであってもよい。
【００７４】
また、付加情報処理部１５９は、図２２に示すように、矢印に代えて、修飾画像として、前記交差位置８０４の近傍に、当該ライン画像８４４と他の画像との境界を強調するガイドを表示する修飾画像８５１を用いてもよい。ガイドの形状は、地形図において道路の立体交差を示す地図記号に類似している。また、ガイドの形状は、修飾画像８５５のように、ライン画像の交差点８０８において屈折するものであってもよい。
【００７５】
（ｃ）付加情報処理部１５９は、前記複数の前記組合せのうちの１個の組合せについて、１個の同色関係組が存在し、当該組合せが３個のライン画像に係るものである場合に、前記交差点情報から交差点位置情報を抽出し、当該組合せを構成する３種の色に対応する３個のライン識別子及び線幅を前記交差点情報から抽出し、抽出したライン識別子から２個のライン識別子を特定し、特定した２個のライン識別子のうちの１個のライン識別子に対応して、矢印の矢尻の第１の形状を決定し、残りの１個のライン識別子に対応して、矢印の矢尻の第２の形状を決定する。ここで、第１の形状と第２の形状は異なるものである。特定しなかったライン識別子に係るライン画像については、修飾画像を付加しない。
【００７６】
付加情報処理部１５９は、前記複数の前記組合せのうちの１個の組合せについて、１個の同色関係組が存在し、当該組合せが４個以上のライン画像に係るものである場合に、上記と同様にして、前記ライン画像数より１だけ少ない数の種類の修飾画像を決定する。
（ｄ）付加情報処理部１５９は、前記複数の前記組合せのうちの１個の組合せ（第１の組合せと呼ぶ）について、１個の同色関係組が存在し、さらに、前記複数の前記組合せのうちの別の１個の組合せ（第２の組合せと呼ぶ）について、別の同色関係組が存在する場合に、第１の組合せについて、矢印の矢尻の第１の形状を決定し、第２の組合せについて、矢印の矢尻の第２の形状を決定する。ここで、第１の形状と第２の形状は異なるものである。
【００７７】
図２０に示すように、ライン画像７７１、７７２及び７７４は、交差点７８５において交差する。このとき、付加情報処理部１５９は、ライン画像７７４に対して、第１の形状の矢印を表す修飾画像７８１、７８２、７８３、７８４、・・・を付加し、ライン画像７７１に対して、第２の形状の矢印を表す修飾画像７８５及び７８６を付加してもよい。
また、付加情報処理部１５９は、図２３に示すように、ライン画像７７１、７７２及び７７４は、交差点７８５において交差する。このとき、ライン画像７７４に対して、第１の形状のガイドを表す修飾画像７９１、７９２、７９３、７９４、７９５を付加し、ライン画像７７１に対して、第２の形状のガイドを表す修飾画像７９６を付加してもよい。
【００７８】
ここで、さらに、別の同色関係組が存在する場合には、矢印の矢尻の第３の形状を決定する。ここで、第１の形状、第２の形状及び第３の形状は、それぞれ、異なるものである。
（ｅ）付加情報処理部１５９は、図１８に示すように、前記同色関係を有すると判断される色により表示される複数本のライン画像のうち、当該交差位置の近傍において２本のライン画像７２２及び７２４が近接するか否かを判断してもよい。近接すると判断する場合に、近接する区間において、少なくとも１本のライン画像に修飾画像７３１を付加するように決定する。修飾画像７３１は、一例として、矢印を表す。
【００７９】
このとき、付加情報処理部１５９は、図１８に示すように、前記２本のライン画像７２４及び７２２が交差する角度が、所定の角度以下である場合に、例えば、１５度以下である場合に、前記２本のライン画像７２４及び７２２が近接すると判断してもよい。
また、付加情報処理部１５９は、図１８に示すように、前記２本のライン画像上７２４及び７２２において、前記交差位置から所定の距離（７３１ａ、７３１ｂ）だけ離れた２点間７３１ｃ、７３１ｄの距離７３１ｅが、所定の距離以下である場合に、前記２本のライン画像が近接すると判断してもよい。
【００８０】
以上のようにして、付加情報処理部１５９は、修飾画像の種類、形状、大きさ、配置する位置を決定し、決定した修飾画像の種類、形状、大きさ、配置する位置を画像合成部１６０へ出力する。
（９）画像合成部１６０、画像出力部１６１及び画像処理制御部１５３
画像合成部１６０は、付加情報処理部１５９から、修飾画像の種類、形状、大きさ、配置する位置を受け取り、受け取った修飾画像の種類、形状、大きさ、配置する位置により、修飾画像をオリジナル画像データ３０１上に配置して、合成画像データ３０２を生成し、生成した合成画像データ３０２を画像記憶部１５２上に記憶させる。
【００８１】
画像出力部１６１は、画像記憶部１５２から合成画像データ３０２を読み出し、読み出した合成画像データ３０２を画像形成部へ出力する。
画像処理制御部１５３は、画像入力部１５１、グラフ領域抽出部１５４、凡例抽出部１５５、色連続線抽出部１５６、交差点抽出部１５７、線幅抽出部１５８、付加情報処理部１５９、画像合成部１６０及び画像出力部１６１を制御する。
４．画像処理部１５の動作
画像処理部１５の動作についてフローチャートを用いて説明する。
（１）カラー複写機１００の動作
カラー複写機１００の動作について、特に、画像処理部１５の全体の動作を中心として、図２７に示すフローチャートを用いて説明する。
【００８２】
ラインイメージセンサＣＣＤは、原稿４００を読み取り（ステップＳ１０１）、グラフ領域抽出部１５４は、画像記憶部１５２に記憶されているオリジナル画像データ３０１から各グラフ領域を分離し（ステップＳ１０２）、凡例抽出部１５５は、オリジナル画像データ３０１から凡例情報を抽出し（ステップＳ１０３）、色連続線抽出部１５６は、各グラフ領域から、色及び線の連続性により、グラフ領域に描画された複数のライン画像を分離し、交差点抽出部１５７は、各グラフ領域に描画された複数のライン画像が交差する交差点の位置情報を算出し（ステップＳ１０４）、線幅抽出部１５８は、交差点で交差する複数のライン画像の表示色と線幅を検出し（ステップＳ１０５）、付加情報処理部１５９は、交差点の近傍に付加する修飾画像を決定し（ステップＳ１０６）、画像合成部１６０は、オリジナル画像データ３０１と修飾画像とを合成して合成画像データ３０２を生成し（ステップＳ１０７）、複写機本体１０１は、合成画像データ３０２を印刷する（ステップＳ１０８）。
（２）凡例抽出部１５５による凡例情報の抽出の動作
凡例抽出部１５５による凡例情報の抽出の動作について、図２８に示すフローチャートを用いて説明する。ここで説明する動作は、図２７のフローチャートのステップＳ１０３の詳細である。
【００８３】
凡例抽出部１５５は、全てのグラフ領域について、ステップＳ１２２からＳ１２６の動作を繰り返す（ステップＳ１２１〜Ｓ１２７）。
凡例抽出部１５５は、グラフ領域のグラフ領域位置情報を読み取り（ステップＳ１２２）、周辺に文字領域があるか否かを判断し（ステップＳ１２３）、文字領域がある場合に（ステップＳ１２３でＹＥＳ）、文字領域の位置情報を抽出し（ステップＳ１２４）、文字領域内のライン画像の位置情報を抽出し（ステップＳ１２５）、全ての文字領域の抽出が完了していなければ（ステップＳ１２６でＮＯ）、ステップＳ１２３に制御を移す。
全ての文字領域の抽出が完了していれば（ステップＳ１２６でＹＥＳ）、ステップＳ１２７に制御を移す。
【００８４】
文字領域がない場合に（ステップＳ１２３でＮＯ）、ステップＳ１２６へ制御を移す。
（３）色連続線抽出部１５６及び交差点抽出部１５７の動作
色連続線抽出部１５６によるライン画像の抽出及び交差点抽出部１５７による交差点の位置情報の算出の動作について、図２９〜図３０に示すフローチャートを用いて説明する。ここで説明する動作は、図２７のフローチャートのステップＳ１０４の詳細である。
【００８５】
色連続線抽出部１５６及び交差点抽出部１５７は、全てのグラフ領域について、ステップＳ１４２からＳ１５９の動作を繰り返す（ステップＳ１４１〜Ｓ１６０）。
色連続線抽出部１５６は、色毎に、ステップＳ１４３からＳ１５１の動作を繰り返す（ステップＳ１４２〜Ｓ１５２）。
色連続線抽出部１５６は、グラフ領域の位置情報を読み取り（ステップＳ１４３）、色情報を読み取り、色を判断し（ステップＳ１４４）、Ｘ軸方向に最も値の小さい位置かどうかを判断し（ステップＳ１４５）、Ｘ軸方向に最も小さい位置でない場合には（ステップＳ１４５でＮＯ）、Ｘ軸方向にシフトし（ステップＳ１４６）、ステップＳ１４４へ制御を移す。
【００８６】
色連続線抽出部１５６は、Ｘ軸方向に最も小さい位置である場合には（ステップＳ１４５でＹＥＳ）、位置情報（Ｘ、Ｙ）を開始位置情報として記憶する（ステップＳ１４７）。
次に、色連続線抽出部１５６は、色情報を読み取り、色を判断し（ステップＳ１４８）、Ｘ軸方向に最も値の大きい位置かどうかを判断し（ステップＳ１４９）、Ｘ軸方向に最も大きい位置でない場合には（ステップＳ１４９でＮＯ）、Ｘ軸方向にシフトし（ステップＳ１５０）、ステップＳ１４８へ制御を移す。
【００８７】
色連続線抽出部１５６は、Ｘ軸方向に最も大きい位置である場合には（ステップＳ１４９でＹＥＳ）、位置情報（Ｘ、Ｙ）を終了位置情報として記憶する（ステップＳ１５１）。
交差点抽出部１５７は、グラフ領域のライン画像の開始位置情報（Ｘ、Ｙ）を取得し（ステップＳ１５３）、次に、隣接している参照画像の中に同じ色の画素を抽出し（ステップＳ１５４）、隣接している参照画像の中にその他のライン画像の色情報があるか否かを判断する（ステップＳ１５５）。
【００８８】
参照画像の中にその他のライン画像の色情報がある場合には（ステップＳ１５５でＹＥＳ）、交差点抽出部１５７は、ライン画像がクロスしていると判断し、その位置情報（Ｘ、Ｙ）を交差点として記憶し（ステップＳ１５６）、次に、交差点からＸ軸方向に一定の画素数だけ移動した位置情報（Ｘ、Ｙ）を方向指示点として記憶する（ステップＳ１５７）。
【００８９】
次に、ライン画像の終了位置情報の点まで全てチェックが完了していなければ（ステップＳ１５８でＮＯ）、交差点抽出部１５７は、ステップＳ１５４へ制御を移す。
ライン画像の終了位置情報の点まで全てチェックが完了していれば（ステップＳ１５８でＹＥＳ）、交差点抽出部１５７は、全てのライン画像についてチェックが完了していなければ（ステップＳ１５９でＮＯ）、ステップＳ１５３へ制御を移す。全てのライン画像についてチェックが完了していれば（ステップＳ１５９でＹＥＳ）、ステップＳ１６０へ制御を移す。
（４）付加情報処理部１５９の動作
付加情報処理部１５９による修飾画像の決定の動作について、図３１に示すフローチャートを用いて説明する。ここで説明する動作は、図２７のフローチャートのステップＳ１０６の詳細である。
【００９０】
付加情報処理部１５９は、全てのグラフ領域について、ステップＳ１７２からＳ１７９の動作を繰り返す（ステップＳ１７１〜Ｓ１８０）。
色連続線抽出部１５６は、交差点の位置情報を読み出し（ステップＳ１７２）、交差点のライン画像の色情報を読み出し（ステップＳ１７３）、見難い色が含まれるかを判断し（ステップＳ１７４）、見難い色が含まれる場合に（ステップＳ１７３でＹＥＳ）、見難い色の線の本数を算出し（ステップＳ１７５）、見難い色の線の線幅を読み出し、グラフ修飾形状と大きさを決定し（ステップＳ１７６）、交差点位置情報から画像データを読み出し、見難い色同士が所定距離離れた位置を求め、グラフ修飾位置を決定する（ステップＳ１７７）。
【００９１】
次に、全ての見難い色について、チェックが完了したか否かを判断し（ステップＳ１７８）、完了してなければ（ステップＳ１７８でＮＯ）、ステップＳ１７６へ制御を移す。完了していれば（ステップＳ１７８でＹＥＳ）、全ての交差点についてチェックが完了したか否かを判断し（ステップＳ１７９）、完了していなければ（ステップＳ１７９でＮＯ）、ステップＳ１７２へ制御を移す。完了していれば（ステップＳ１７９でＹＥＳ）、ステップＳ１８０へ制御を移す。
５．グラフ領域の具体例
カラー複写機１００の複写の対象となる原稿に表示されたグラフと、画像処理部１５により生成されるグラフとを対比して説明する。
【００９２】
（１）図１２に示すグラフ６０１は、カラー複写機１００の複写の対象となる原稿に表示されたグラフの一例である。グラフ６０１は、グラフ領域６０２及び凡例領域６０３を含み、グラフ領域６０２には、折れ線６１１、６１２、６１３及び６１４が描画されている。折れ線６１１、６１２、６１３及び６１４は、それぞれ、赤色、ピンク色、緑色及び青色により表示されている。折れ線６１２及び６１４は、交差点６０４、６０５、６０６、６０７及び６０８において交差している。凡例領域６０３には、凡例線６１６、６１７、６１８及び６１９が描画されており、凡例線６１６、６１７、６１８及び６１９は、それぞれ、赤色、ピンク色、緑色及び青色により表示されている。
【００９３】
画像処理部１５は、グラフ６０１から図１３に示すグラフ６２１を生成する。なお、図１３においては、画像処理部１５により生成したグラフを色覚異常者が視覚的にどのように認識するかを表現しており、健常者によって視覚的に認識される色調を表現しているのではない点に注意を要する。
グラフ６２１は、グラフ領域６２２及び凡例領域６２３を含み、グラフ領域６２２には、折れ線６３１、６３２、６３３及び６３４が描画されている。折れ線６３１、６３２、６３３及び６３４は、それぞれ、黒色、水色、橙色及び水色により表示されているように色覚異常者には見える。健常者には、赤色、ピンク色、緑色及び青色に見える。折れ線６３２及び６３４は、交差点６０４、６０５、６０６、６０７及び６０８において交差している。折れ線６３４上において、交差点６０４の前後には、矢印（矢尻のみ）を表示する修飾画像６４１及び６４２が付加されている。また、交差点６０５の前後には、修飾画像６４４及び６４３が付加されている。他の交差点前後にも、修飾画像が付加されている。凡例領域６２３には、凡例線６３６、６３７、６３８及び６３９が描画されており、凡例線６３６、６３７、６３８及び６３９は、それぞれ、黒色、水色、橙色及び水色により表示されているように色覚異常者には見える。健常者には、それぞれ、赤色、ピンク色、緑色及び青色により表示されているように見える。凡例線６３９上には、矢印（矢尻のみ）を表示する修飾画像６４１が付加されている。
【００９４】
（２）図１４に示すグラフ６５１は、カラー複写機１００の複写の対象となる原稿に表示されたグラフの一例である。グラフ６５１は、グラフ領域６５２及び凡例領域６５３を含み、グラフ領域６５２には、折れ線６６１、６６２、６６３及び６６４が描画されている。折れ線６６１、６６２、６６３及び６６４は、それぞれ、赤色、ピンク色、緑色及び青色により表示されている。折れ線６６２及び６６４は、交差点６５４、６５５、６５６、６５７及び６５８において交差している。凡例領域６５３には、凡例線６６６、６６７、６６８及び６６９が描画されており、凡例線６６６、６６７、６６８及び６６９は、それぞれ、赤色、ピンク色、緑色及び青色により表示されている。
【００９５】
画像処理部１５は、グラフ６５１から図１５に示すグラフ６７１を生成する。なお、図１５においては、図１３と同様に、画像処理部１５により生成したグラフを色覚異常者が視覚的にどのように認識するかを表現しており、健常者によって視覚的に認識される色調を表現しているのではない点に注意を要する。
グラフ６７１は、グラフ領域６７２及び凡例領域６７３を含み、グラフ領域６７２には、折れ線６８１、６８２、６８３及び６８４が描画されている。折れ線６８１、６８２、６８３及び６８４は、それぞれ、黒色、水色、橙色及び水色により表示されているように色覚異常者には見える。健常者には、赤色、ピンク色、緑色及び青色に見える。折れ線６８２及び６８４は、交差点６５４、６５５、６５６、６５７及び６５８において交差している。折れ線６８４上において、交差点６５４には、矢印（矢尻及び矢柄）を表示する修飾画像６９１が付加されている。また、交差点６５６には、修飾画像６９３が付加されている。他の交差点にも、修飾画像が付加されている。凡例領域６７３には、凡例線６８６、６８７、６８８及び６８９が描画されており、凡例線６８６、６８７、６８８及び６８９は、それぞれ、黒色、水色、橙色及び水色により表示されているように色覚異常者には見える。健常者には、それぞれ、赤色、ピンク色、緑色及び青色により表示されているように見える。凡例線６８９上には、矢印（矢尻及び矢柄）を表示する修飾画像６９６が付加されている。
【００９６】
（３）図１６に示すグラフ７０１は、カラー複写機１００の複写の対象となる原稿に表示されたグラフの一例である。グラフ７０１は、グラフ領域７０２及び凡例領域７０３を含み、グラフ領域７０２には、折れ線７１１、７１２、７１３及び７１４が描画されている。折れ線７１１、７１２、７１３及び７１４は、それぞれ、赤色、ピンク色、緑色及び青色により表示されている。折れ線７１２及び７１４は、交差点７０４、７０５、７０６、７０７及び７０８において交差している。凡例領域７０３には、凡例線７１６、７１７、７１８及び７１９が描画されており、凡例線７１６、７１７、７１８及び７１９は、それぞれ、赤色、ピンク色、緑色及び青色により表示されている。
【００９７】
画像処理部１５は、グラフ７０１から図１７に示すグラフ７１１を生成する。なお、図１７においては、図１３と同様に、画像処理部１５により生成したグラフを色覚異常者が視覚的にどのように認識するかを表現しており、健常者によって視覚的に認識される色調を表現しているのではない点に注意を要する。
グラフ７１１は、グラフ領域７１２及び凡例領域７１３を含み、グラフ領域７１２には、折れ線７２１、７２２、７２３及び７２４が描画されている。折れ線７２１、７２２、７２３及び７２４は、それぞれ、黒色、水色、橙色及び水色により表示されているように色覚異常者には見える。健常者には、赤色、ピンク色、緑色及び青色に見える。折れ線７２２及び７２４は、交差点７０４、７０５、７０６、７０７及び７０８において交差している。折れ線７２４上において、交差点７０４には、矢印（矢尻及び矢柄）を表示する修飾画像７３１が付加されている。また、交差点７０５の前後には、矢印（矢尻のみ）を表示する修飾画像７３２及び７３３が付加されている。他の交差点にも、矢印（矢尻のみ）を表示する修飾画像が付加されている。凡例領域７１３には、凡例線７２６、７２７、７２８及び７２９が描画されており、凡例線７２６、７２７、７２８及び７２９は、それぞれ、黒色、水色、橙色及び水色により表示されているように色覚異常者には見える。健常者には、それぞれ、赤色、ピンク色、緑色及び青色により表示されているように見える。凡例線７２９上には、矢印（矢尻のみ）を表示する修飾画像７３４が付加されている。
【００９８】
交差点７０４の周辺については、その拡大図を図１８に示している。図１８については、既に説明した通りである。
（４）図１９に示すグラフ７４１は、カラー複写機１００の複写の対象となる原稿に表示されたグラフの一例である。グラフ７４１は、グラフ領域７４２及び凡例領域７４３を含み、グラフ領域７４２には、折れ線７５１、７５２、７５３及び７５４が描画されている。折れ線７５１、７５２、７５３及び７５４は、それぞれ、橙色、ピンク色、緑色及び青色により表示されている。折れ線７５２及び７５４は、交差点７４４、７４５、７４６、７４７及び７４８において交差している。また、折れ線７５１、７５２、７５３及び７５４は、交差点７４６において交差している。凡例領域７４３には、凡例線７５６、７５７、７５８及び７５９が描画されており、凡例線７５６、７５７、７５８及び７５９は、それぞれ、橙色、ピンク色、緑色及び青色により表示されている。
【００９９】
画像処理部１５は、グラフ７４１から図２０に示すグラフ７６１を生成する。なお、図２０においては、図１３と同様に、画像処理部１５により生成したグラフを色覚異常者が視覚的にどのように認識するかを表現しており、健常者によって視覚的に認識される色調を表現しているのではない点に注意を要する。
グラフ７６１は、グラフ領域７６２及び凡例領域７６３を含み、グラフ領域７６２には、折れ線７７１、７７２、７７３及び７７４が描画されている。折れ線７７１、７７２、７７３及び７７４は、それぞれ、橙色、水色、橙色及び水色により表示されているように色覚異常者には見える。健常者には、橙色、ピンク色、緑色及び青色に見える。折れ線７７２及び７７４は、交差点７４４、７４５、７４６、７４７及び７４８において交差している。また、折れ線７７１、７７２、７７３及び７７４は、交差点７４６において交差している。折れ線７７４上において、交差点７４４の前後には、矢印（矢尻のみ）を表示する修飾画像７８２及び７８１が付加されている。また、交差点７４５の前後には、矢印（矢尻のみ）を表示する修飾画像７８４及び７８３が付加されている。折れ線７７２及び７７４との他の交差点にも、矢印（矢尻のみ）を表示する修飾画像が付加されている。
【０１００】
折れ線７７１上において、交差点７４６の前後には、矢印（矢尻のみ）を表示する修飾画像７８５及び７８６が付加されている。
ここで、折れ線７７４上において付加されている修飾画像と、折れ線７７１上において付加されている修飾画像とは、異なるものである。
凡例領域７６３には、凡例線７７６、７７７、７７８及び７７９が描画されており、凡例線７７６、７７７、７７８及び７７９は、それぞれ、橙色、水色、橙色及び水色により表示されているように色覚異常者には見える。健常者には、それぞれ、橙色、ピンク色、緑色及び青色により表示されているように見える。凡例線７７６上には、矢印（矢尻のみ）を表示する修飾画像７４７が付加され、凡例線７７９上には、矢印（矢尻のみ）を表示する修飾画像７４８が付加されている。ここで、修飾画像７４７と修飾画像７４８とは、異なる形状を表示するものである
（５）図２１に示すグラフ８０１は、カラー複写機１００の複写の対象となる原稿に表示されたグラフの一例である。グラフ８０１は、グラフ領域８０２及び凡例領域８０３を含み、グラフ領域８０２には、折れ線８１１、８１２、８１３及び８１４が描画されている。折れ線８１１、８１２、８１３及び８１４は、それぞれ、赤色、ピンク色、緑色及び青色により表示されている。折れ線８１２及び８１４は、交差点８０４、８０５、８０６、８０７及び８０８において交差している。凡例領域８０３には、凡例線８１６、８１７、８１８及び８１９が描画されており、凡例線８１６、８１７、８１８及び８１９は、それぞれ、赤色、ピンク色、緑色及び青色により表示されている。
【０１０１】
画像処理部１５は、グラフ８０１から図２２に示すグラフ８３１を生成する。なお、図２２においては、図１３と同様に、画像処理部１５により生成したグラフを色覚異常者が視覚的にどのように認識するかを表現しており、健常者によって視覚的に認識される色調を表現しているのではない点に注意を要する。
グラフ８３１は、グラフ領域８３２及び凡例領域８３３を含み、グラフ領域８３２には、折れ線８４１、８４２、８４３及び８４４が描画されている。折れ線８４１、８４２、８４３及び８４４は、それぞれ、黒色、水色、橙色及び水色により表示されているように色覚異常者には見える。健常者には、赤色、ピンク色、緑色及び青色に見える。折れ線８４２及び８４４は、交差点８０４、８０５、８０６、８０７及び８０８において交差している。折れ線８４４上において、交差点８０４には、ガイドを表示する修飾画像８５１が付加されている。また、交差点８０５には、ガイドを表示する修飾画像８５２が付加されている。他の交差点にも、ガイドを表示する修飾画像が付加されている。
【０１０２】
交差点８０８に付加されている修飾画像８５５は、交差点８０８における折れ線８４４の屈折に沿って、屈折した形状を有するガイドを表示している。
凡例領域８３３には、凡例線８３６、８３７、８３８及び８３９が描画されており、凡例線８３６、８３７、８３８及び８３９は、それぞれ、黒色、水色、橙色及び水色により表示されているように色覚異常者には見える。健常者には、それぞれ、赤色、ピンク色、緑色及び青色により表示されているように見える。凡例線８３９上には、ガイドを表示する修飾画像８５６が付加されている。
（６）画像処理部１５は、図１９に示すグラフ７４１から図２３に示すグラフ７６１ａを生成する。なお、図２３においては、図１３と同様に、画像処理部１５により生成したグラフを色覚異常者が視覚的にどのように認識するかを表現しており、健常者によって視覚的に認識される色調を表現しているのではない点に注意を要する。
【０１０３】
グラフ７６１ａは、グラフ７６１と類似している。ここでは、その相違点についてのみ説明する。
グラフ７６１ａは、グラフ領域７６２ａ及び凡例領域７６３ａを含む。グラフ領域７６２ａの折れ線７７４上において、交差点７４４には、ガイドを表示する修飾画像７９１が付加されている。また、交差点７４５には、ガイドを表示する修飾画像７９２が付加されている。折れ線７７２及び７７４との他の交差点にも、ガイドを表示する修飾画像が付加されている。
【０１０４】
折れ線７７１上において、交差点７４６には、ガイドを表示する修飾画像７９６が付加されている。
ここで、折れ線７７４上において付加されている修飾画像と、折れ線７７１上において付加されている修飾画像とは、異なる形状を表示するものである。
凡例線７７６上には、ガイドを表示する修飾画像７９７が付加され、凡例線７７９上には、ガイドを表示する修飾画像７９８が付加されている。ここで、修飾画像７９７と修飾画像７９８とは、異なる形状を表示するものである。
６．その他の変形例
本発明を上記の実施の形態に基づいて説明してきたが、本発明は、上記の実施の形態に限定されないのはもちろんである。以下のような場合も本発明に含まれる。
【０１０５】
（１）画像表示装置の例
上記の実施の形態では、カラー複写機１００は、原稿４００を読み取ってオリジナル画像データ３０１を生成し、画像処理部１５により、オリジナル画像データに修飾画像を付加する画像処理を施して、合成画像データ３０２を生成し、合成画像データ３０２を紙面上に印刷するとしている。
【０１０６】
しかし、本発明は、この実施の形態には限定されず、次のようにしてもよい。
例えば、ＤＶＤ（Digital Versatile Disc）上に１個以上のグラフ領域を含むデジタル画像データが記録されており、ＤＶＤ再生プレーヤは、ＤＶＤから前記デジタル画像データを読み出す。ＤＶＤ再生プレーヤは、画像処理部１５と同様の画像処理部を有しており、当該画像処理部は、読み出したデジタル画像データに対して、上述したようにして、修飾画像を付加する画像処理を施して、合成画像データを生成し、生成した合成画像データを画面上に表示してもよい。
【０１０７】
また、放送局に設置されたデジタル放送送信装置は、１個以上のグラフ領域を含むデジタル画像データを放送波に乗せて送信し、デジタル放送受信装置は、前記放送波を受信し、受信した放送波から前記デジタル画像データを抽出する。デジタル放送受信装置は、画像処理部１５と同様の画像処理部を有しており、抽出したデジタル画像データに対して、上述したようにして、修飾画像を付加する画像処理を施して、合成画像データを生成し、生成した合成画像データを画面上に表示してもよい。
【０１０８】
（２）上記の実施の形態では、原稿４００上に折れ線グラフが描画されているとしている。しかし、本発明は、この実施の形態には限定されない。原稿上には、一般道路や高速道路、鉄道、地下鉄などの路線図が路線毎に異なる色を用いて表示する路線図が描画されているとしてもよい。
画像処理部１５は、これらの路線図に対して、上述したように、修飾画像を付加する。
【０１０９】
（３）上記の各装置は、具体的には、マイクロプロセッサ、ＲＯＭ、ＲＡＭ、ハードディスクユニットなどから構成されるコンピュータシステムである。前記ＲＡＭ又は前記ハードディスクユニットには、コンピュータプログラムが記憶されている。前記マイクロプロセッサが、前記コンピュータプログラムに従って動作することにより、各装置は、その機能を達成する。ここで、コンピュータプログラムは、所定の機能を達成するために、コンピュータに対する指令を示す命令コードが複数個組み合わされて構成されたものである。
【０１１０】
（４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１１１】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１１２】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（５）上記実施の形態及び上記変形例をそれぞれ組合せるとしてもよい。
【産業上の利用可能性】
【０１１３】
本発明を構成する装置は、グラフなどを制作し、配布する産業において、経営的に、また継続的及び反復的に使用することができる。また、本発明を構成する装置は、電器機器製造産業において、経営的に、また継続的及び反復的に、製造し、販売することができる。
【図面の簡単な説明】
【０１１４】
【図１】カラー複写機１００の断面図である。
【図２】カラー複写機１００による複写の対象となる原稿の一例を示す。
【図３】画像処理部１５の構成を示すブロック図である。
【図４】グラフ領域情報テーブル３１１のデータ構造の一例を示す。
【図５】凡例領域情報テーブル３１２のデータ構造の一例を示す。
【図６】ライン画像情報テーブル３１３のデータ構造の一例を示す。
【図７】交差点情報テーブル３１４のデータ構造の一例を示す。
【図８】凡例情報テーブル３１５のデータ構造の一例を示す。
【図９】同色関係テーブル３１６のデータ構造の一例を示す。
【図１０】交差点の抽出の方法を示す。
【図１１】ライン画像の開始点及び終了点の抽出の方法を示す。
【図１２】グラフの一例を示す。
【図１３】図１２に示すグラフに対して修飾画像を付加してできたグラフの一例を示す。
【図１４】グラフの別の一例を示す。
【図１５】図１５に示すグラフに対して修飾画像を付加してできたグラフの一例を示す。
【図１６】グラフの別の一例を示す。
【図１７】図１６に示すグラフに対して修飾画像を付加してできたグラフの一例を示す。
【図１８】図１７の一部を拡大した図である。
【図１９】グラフの別の一例を示す。
【図２０】図１９に示すグラフに対して修飾画像を付加してできたグラフの一例を示す。
【図２１】グラフの別の一例を示す。
【図２２】図２１に示すグラフに対して修飾画像を付加してできたグラフの一例を示す。
【図２３】図１９に示すグラフに対して修飾画像を付加してできた別のグラフの一例を示す。
【図２４】矢印の形状の一例を示す。
【図２５】矢印の形状の別の一例を示す。
【図２６】矢印の形状の別の一例を示す。
【図２７】カラー複写機１００の動作について、特に、画像処理部１５の全体の動作を中心として、示すフローチャートである。
【図２８】凡例抽出部１５５による凡例情報の抽出の動作を示すフローチャートである。
【図２９】色連続線抽出部１５６によるライン画像の抽出及び交差点抽出部１５７による交差点の位置情報の算出の動作を示すフローチャートである。図３０へ続く。
【図３０】色連続線抽出部１５６によるライン画像の抽出及び交差点抽出部１５７による交差点の位置情報の算出の動作を示すフローチャートである。図２９から続く。
【図３１】付加情報処理部１５９による修飾画像の決定の動作を示すフローチャートである。
【符号の説明】
【０１１５】
１５    画像処理部
１００    カラー複写機
１５１    画像入力部
１５２    画像記憶部
１５３    画像処理制御部
１５４    グラフ領域抽出部
１５５    凡例抽出部
１５６    色連続線抽出部
１５７    交差点抽出部
１５８    線幅抽出部
１５９    付加情報処理部
１６０    画像合成部
１６１    画像出力部
１６２    情報記憶部
【図１】
2009303142.tif 000003
【図２】
2009303142.tif 000004
【図３】
2009303142.tif 000005
【図４】
2009303142.tif 000006
【図５】
2009303142.tif 000007
【図６】
2009303142.tif 000008
【図７】
2009303142.tif 000009
【図８】
2009303142.tif 000010
【図９】
2009303142.tif 000011
【図１０】
2009303142.tif 000012
【図１１】
2009303142.tif 000013
【図１２】
2009303142.tif 000014
【図１３】
2009303142.tif 000015
【図１４】
2009303142.tif 000016
【図１５】
2009303142.tif 000017
【図１６】
2009303142.tif 000018
【図１７】
2009303142.tif 000019
【図１８】
2009303142.tif 000020
【図１９】
2009303142.tif 000021
【図２０】
2009303142.tif 000022
【図２１】
2009303142.tif 000023
【図２２】
2009303142.tif 000024
【図２３】
2009303142.tif 000025
【図２４】
2009303142.tif 000026
【図２５】
2009303142.tif 000027
【図２６】
2009303142.tif 000028
【図２７】
2009303142.tif 000029
【図２８】
2009303142.tif 000030
【図２９】
2009303142.tif 000031
【図３０】
2009303142.tif 000032
【図３１】
2009303142.tif 000033